【手続補正書】
【提出日】平成18年6月19日(2006.6.19)
【手続補正１】
【補正対象書類名】明細書
【補正対象項目名】特許請求の範囲
【補正方法】変更
【補正の内容】
【特許請求の範囲】
【請求項１】
投写レンズと空間光変調素子との間にプリズムを配してなるプロジェクタの前記投写レンズとして用いられるズームレンズであって、
前記空間光変調素子に最も近いレンズが、スクリーン側に凸面を向けたメニスカス正レンズであり、前記メニスカス正レンズの屈折率が１．７５以上であり、かつ、
前記空間光変調素子に最も近いレンズの前記スクリーン側の曲率半径をＧＬＲ１、当該レンズのｄ線の屈折率をＧＬｎｄ、当該レンズの焦点距離をｆＧＬ、ズームレンズの広角端の空気換算のバックフォーカスをＢｆｗ、広角端のズームレンズ全系の焦点距離をｆｗとしたとき、下記条件式（１）、（３）を満足することを特徴とするズームレンズ。
（１）  −０．３＜（ＧＬＲ１／ＧＬｎｄ−Ｂｆｗ）／ｆｗ＜−０．０５
（３）  ２．５＜ｆＧＬ／ｆｗ＜３．５
【請求項２】
前記空間光変調素子に最も近いレンズの前記空間光変調素子側の曲率半径をＧＬＲ２、ズームレンズの広角端の空気換算のバックフォーカスをＢｆｗ、広角端のズームレンズ全系の焦点距離をｆｗとしたとき、下記条件式（２）を満足する請求項１に記載のズームレンズ。
（２）  ５＜（ＧＬＲ２−Ｂｆｗ）／ｆｗ
【請求項３】
前記空間光変調素子に最も近いレンズのアッベ数が３０以下である請求項１又は２に記載のズームレンズ。
【請求項４】
前記空間光変調素子に最も近いレンズの部分分散をＰｇＦＧＬ、当該レンズのアッベ数をνｄＧＬとしたとき、下記条件式（４）を満足する請求項１〜３のいずれかに記載のズームレンズ。
（４）  ０．０１＜ＰｇＦＧＬ−０．６４５７＋０．００１７×νｄＧＬ
【請求項５】
前記空間光変調素子に最も近い負レンズの部分分散をＰｇＦＧＬｎ、当該レンズのアッベ数をνｄＧＬｎ、前記空間光変調素子に最も近いレンズの部分分散をＰｇＦＧＬ、当該レンズのアッベ数をνｄＧＬとしたとき、下記条件式（５）、（６）を満足する請求項１〜４のいずれかに記載のズームレンズ。
（５）  ＰｇＦＧＬｎ＜０．６１
（６）  （ＰｇＦＧＬｎ−ＰｇＦＧＬ）／（νｄＧＬｎ−νｄＧＬ）
＜−０．００２７
【請求項６】
前記スクリーン側から順に第１の貼り合わせ面、第２の貼り合わせ面、第３の貼り合わせ面の３つの貼り合わせ面を有しており、前記第１の貼り合わせ面を構成する正レンズのアッベ数をνｄＧ１ｐ、部分分散をＰｇＦＧ１ｐとし、前記第１の貼り合わせ面を構成する負レンズのアッベ数をνｄＧ１ｎ、部分分散をＰｇＦＧ１ｎとし、前記第２の貼り合わせ面を構成する正レンズのアッベ数をνｄＧ２ｐ、部分分散をＰｇＦＧ２ｐとし、前記第２の貼り合わせ面を構成する負レンズのアッベ数をνｄＧ２ｎ、部分分散をＰｇＦＧ２ｎとし、前記第３の貼り合わせ面を構成する正レンズの部分分散をＰｇＦＧ３ｐとし、前記第３の貼り合わせ面を構成する負レンズの部分分散をＰｇＦＧ３ｎとしたとき、下記条件式（７）〜（11）を満足する請求項１〜５のいずれかに記載のズームレンズ。
（７）  ６＜νｄＧｐ１−νｄＧｎ１＜１２
（８）  ＰｇＦＧｐ１−ＰｇＦＧｎ１＜−０．０２
（９）  ２０＜νｄＧｐ２−νｄＧｎ２＜４０
（10）  ｜ＰｇＦＧｐ２−ＰｇＦＧｎ２｜＜０．００７
（11）  ｜ＰｇＦＧｐ３−ＰｇＦＧｎ３｜＜０．０７
【請求項７】
前記第２の貼り合わせ面を構成する正レンズのアッベ数が９０以上である請求項６に記載のズームレンズ。
【請求項８】
前記空間光変調素子側から前記スクリーン側に向かって順に、前記スクリーン側に凸面を向けた前記メニスカス正レンズ、正レンズ、正レンズの３つのレンズが配置されている請求項１〜７のいずれかに記載のズームレンズ。
【請求項９】
前記スクリーン側から順に配置された、負の屈折力を有する第１レンズ群と、正の屈折力を有する第２レンズ群と、正の屈折力を有する第３レンズ群と、負の屈折力を有する第４レンズ群と、正の屈折力を有する第５レンズ群とを備え、
広角端から望遠端への変倍（ズーミング）に際して、前記第１レンズ群と前記第５レンズ群は固定されたままで、前記第２レンズ群と前記第３レンズ群と前記第４レンズ群は光軸上を前記スクリーン側に移動し、
前記第３レンズ群は、前記スクリーン側から順に配置された、正レンズと負レンズとの接合レンズと、正レンズと負レンズとの接合レンズとにより構成され、
前記第４レンズ群は、前記スクリーン側から順に配置された、両面が凹の負レンズと、両面が凹の負レンズと両面が凸の正レンズとの接合レンズと、正レンズと、正レンズとにより構成された請求項１〜８のいずれかに記載のズームレンズ。
【請求項１０】
前記スクリーン側から順に配置された、負の屈折力を有する第１レンズ群と、正の屈折力を有する第２レンズ群と、負の屈折力を有する第３レンズ群と、正の屈折力を有する第４レンズ群とを備え、
広角端から望遠端への変倍（ズーミング）に際して、前記第１レンズ群と前記第４レンズ群は固定されたままで、前記第２レンズ群と前記第３レンズ群は光軸上を前記スクリーン側に移動し、
前記第１レンズ群は、前記スクリーン側から順に配置された、負の屈折力を有する第１１レンズ群と正の屈折力を有する第１２レンズ群とにより構成され、フォーカス調整に際して、前記第１１レンズ群と前記第１２レンズ群との間隔が変化する請求項１〜８のいずれかに記載のズームレンズ。
【請求項１１】
前記第１２レンズ群は、前記空間光変調素子側に凸面を向けたメニスカス正レンズからなる請求項１０に記載のズームレンズ。
【請求項１２】
レンズ全系の倍率が０．００２３〜０．０１８８倍である請求項１〜１１のいずれかに記載のズームレンズ。
【請求項１３】
広角端のＦナンバーが１．７である請求項１〜１２のいずれかに記載のズームレンズ。
【請求項１４】
ズーム比が１．３である請求項１〜１３のいずれかに記載のズームレンズ。
【請求項１５】
光源と、前記光源から放射される光によって照明されると共に、光学像を形成する空間光変調素子と、前記空間光変調素子上の光学像を投写する投写手段とを備えた映像拡大投写システムであって、
前記投写手段として請求項１〜１４のいずれかに記載のズームレンズを用いることを特徴とする映像拡大投写システム。
【請求項１６】
光源と、前記光源からの光を青、緑、赤の３色に時間的に制限する手段と、前記光源から放射される光によって照明されると共に、時間的に変化する青、緑、赤の３色に対応する光学像を形成する空間光変調素子と、前記空間光変調素子上の光学像を投写する投写手段とを備えたビデオプロジェクタであって、
前記投写手段として請求項１〜１４のいずれかに記載のズームレンズを用いることを特徴とするビデオプロジェクタ。
【請求項１７】
請求項１６に記載のビデオプロジェクタと、前記投写手段から投写された光を折り曲げるミラーと、前記ミラーによって折り曲げられた光を映像として映し出す透過型スクリーンとを備えたリアプロジェクタ。
【請求項１８】
請求項１６に記載のビデオプロジェクタと、前記投写手段から投写された光を映像として映し出す透過型スクリーンと、筐体とをそれぞれ有する複数台のシステムと、
映像信号を分割して前記各ビデオプロジェクタに送る映像分割回路とを備えたマルチビジョンシステム。
【手続補正２】
【補正対象書類名】明細書
【補正対象項目名】００１６
【補正方法】変更
【補正の内容】
【００１６】
【課題を解決するための手段】
前記目的を達成するため、本発明に係るズームレンズの構成は、投写レンズと空間光変調素子との間にプリズムを配してなるプロジェクタの前記投写レンズとして用いられるズームレンズであって、
前記空間光変調素子に最も近いレンズが、スクリーン側に凸面を向けたメニスカス正レンズであり、前記メニスカス正レンズの屈折率が１．７５以上であり、かつ、
前記空間光変調素子に最も近いレンズの前記スクリーン側の曲率半径をＧＬＲ１、当該レンズのｄ線の屈折率をＧＬｎｄ、当該レンズの焦点距離をｆＧＬ、ズームレンズの広角端の空気換算のバックフォーカスをＢｆｗ、広角端のズームレンズ全系の焦点距離をｆｗとしたとき、下記条件式（１）、（３）を満足することを特徴とする。
（１）  −０．３＜（ＧＬＲ１／ＧＬｎｄ−Ｂｆｗ）／ｆｗ＜−０．０５
（３）  ２．５＜ｆＧＬ／ｆｗ＜３．５
【手続補正３】
【補正対象書類名】明細書
【補正対象項目名】００１７
【補正方法】変更
【補正の内容】
【００１７】
このズームレンズの構成によれば、当該ズームレンズを、投写レンズと空間光変調素子との間にプリズムを配してなるプロジェクタの前記投写レンズとして用いた場合に、空間光変調素子に最も近いレンズで発生した不要な反射光が空間光変調素子上で結像することはない。また、空間光変調素子で反射された不要光は光軸に対して大きな角度で投写レンズとしてのズームレンズに向かうことになるので、当該ズームレンズを通ってスクリーン上に到達できる不要光は、空間光変調素子に最も近いレンズで発生した不要な反射光の一部のみとなる。さらに、空間光変調素子に最も近いレンズは、屈折率が高いために、反射防止コーティングが施された後の反射率が屈折率が低い場合よりも低くなり、空間光変調素子に最も近いレンズで発生する不要な反射光を減少させることができる。従って、上記構成を有するプロジェクタの投写レンズとして用いた場合にゴーストの発生を防止しコントラストの高い映像を得ることのできるズームレンズを実現することができる。
また、上記条件式（１）を満足することにより、空間光変調素子に最も近いレンズのスクリーン側の面で反射した不要光が空間光変調素子上で結像するのを防止することができる。さらに、空間光変調素子に最も近いレンズのスクリーン側の面で反射にした不要光は空間光変調素子で再度反射され、その反射光は光軸に対して大きな角度で投写レンズとしてのズームレンズに向かうことになるので、当該ズームレンズを通ってスクリーン上に到達できる不要光は、空間光変調素子に最も近いレンズで発生した不要な反射光の一部のみとなる。その結果、投写画面の画質の劣化を防止することができる。
また、上記条件式（３）を満足することにより、歪曲収差を良好に補正して、広角端と望遠端での収差のバランスを良好なものとすることができる。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】